(57)【要約】【課題】  画像をトリミングしてページに貼り付けてアルバムを作成するアルバム作成装置において、画像のトリミング領域を範囲指定するための枠を画像の貼り付け位置に応じて切り替えることが出来るようにする。そして、例えば印刷不可領域や裁断領域などを実際には印刷されないか又は失われる領域を認識しながらトリミング領域を指定することが出来るようにする。【解決手段】  ページに貼り付ける画像を選択する画像選択手段と、前記選択した画像の貼り付け方法を指定する貼り付け方法指定手段と、前記選択した画像を表示装置の画面上に表示する画像表示手段と、前記画像のトリミング範囲を示す枠を前記画像表示手段によって表示された画像上に表示するトリミング範囲枠表示手段と、前記トリミング範囲を示す枠を前記画像の貼り付け方法に応じて切り替える手段、とを備える構成とする。【選択図】  図１
2007281587.tif 000002
【特許請求の範囲】
【請求項１】
画像をトリミングしてページに貼り付けてアルバムを作成するアルバム作成装置において、
ページに貼り付ける画像を選択する画像選択手段と、
前記選択した画像の貼り付け方法を指定する貼り付け方法指定手段と、
前記選択した画像を表示装置の画面上に表示する画像表示手段と、
前記画像のトリミング範囲を示す枠を前記画像表示手段によって表示された画像上に表示するトリミング範囲枠表示手段と、
前記トリミング範囲を示す枠を前記画像の貼り付け方法に応じて切り替える手段、
とを備えたことを特徴とするアルバム作成装置。
【請求項２】
前記貼り付け方法指定手段によって指定された画像の貼り付け方法が、ページ内への貼り付けの場合に、前記トリミング範囲枠は十分に細い線から成る矩形であることを特徴とする請求項１に記載のアルバム作成装置。
【請求項３】
前記貼り付け方法指定手段によって指定された画像の貼り付け方法が、ページ全体への貼り付けの場合に、
印刷後の用紙の裁断領域を取得する裁断領域取得手段と、
十分に太い線からなる矩形であって、矩形の外側の枠が裁断前の用紙の外接矩形を示し、矩形の内側の枠が裁断後の用紙の外接矩形を示すトリミング範囲枠表示手段、
とを備えることを特徴とする請求項１、又は請求項２に記載のアルバム作成装置。
【請求項４】
前記貼り付け方法指定手段によって指定された画像の貼り付け方法が、ページの端への貼り付けの場合に、
印刷後の用紙の裁断領域を取得する裁断領域取得手段と、
十分に太い線と十分に細い線とからなる矩形であって、画像が裁断領域に重なる辺では、矩形の外側の枠が裁断前の用紙の外接矩形に対応し、矩形の内側の枠が裁断後の用紙の外接矩形に対応し、画像が裁断領域に重ならない辺では十分に細い線で表示するトリミング範囲枠表示手段、
とを備えることを特徴とする請求項１〜請求項３のいずれかに記載のアルバム作成装置。
【請求項５】
画像をトリミングしてページに貼り付けてアルバムを作成するアルバム作成方法において、
ページに貼り付ける画像を選択する画像選択ステップと、
前記選択した画像の貼り付け方法を指定する貼り付け方法指定ステップと、
前記選択した画像を表示装置の画面上に表示する画像表示ステップと、
前記画像のトリミング範囲を示す枠を前記画像表示手段によって表示された画像上に表示するトリミング範囲枠表示ステップと、
前記トリミング範囲を示す枠を前記画像の貼り付け方法に応じて切り替えるステップ、
とを備えたことを特徴とするアルバム作成方法。
【請求項６】
前記貼り付け方法指定ステップによって指定された画像の貼り付け方法が、ページ内への貼り付けの場合に、前記トリミング範囲枠は十分に細い線から成る矩形であることを特徴とする請求項５に記載のアルバム作成方法。
【請求項７】
前記貼り付け方法指定ステップによって指定された画像の貼り付け方法が、ページ全体への貼り付けの場合に、
印刷後の用紙の裁断領域を取得する裁断領域取得ステップと、
十分に太い線からなる矩形であって、矩形の外側の枠が裁断前の用紙の外接矩形を示し、矩形の内側の枠が裁断後の用紙の外接矩形を示すトリミング範囲枠表示ステップ、
とを備えることを特徴とする請求項５に記載のアルバム作成方法。
【請求項８】
前記貼り付け方法指定ステップによって指定された画像の貼り付け方法が、ページの端への貼り付けの場合に、
印刷後の用紙の裁断領域を取得する裁断領域取得ステップと、
十分に太い線と十分に細い線とからなる矩形であって、画像が裁断領域に重なる辺では、矩形の外側の枠が裁断前の用紙の外接矩形に対応し、矩形の内側の枠が裁断後の用紙の外接矩形に対応し、画像が裁断領域に重ならない辺では十分に細い線で表示するトリミング範囲枠表示ステップ、
とを備えることを特徴とする請求項５に記載のアルバム作成方法。
【請求項９】
請求項５〜請求項８のいずれかに記載のアルバム作成方法を、コンピュータに実行させるためのプログラム。
【請求項１０】
請求項９に記載のプログラムを記憶したコンピュータで読取り可能な記憶媒体。
【発明の詳細な説明】
【技術分野】
【０００１】
本発明は、画像をトリミングしてページに貼り付けてアルバムを作成するアルバム作成装置に関し、特に画像の貼り付け方法に応じてトリミング範囲を示す枠の表示を切り替えることができるアルバム作成装置、アルバム作成方法、制御方法、その制御方法をコンピュータに実行させるプログラム及び、そのプログラムをコンピュータ装置読み出し可能に記憶した記憶媒体に関するものである。
【背景技術】
【０００２】
従来の、画像をトリミングしてページに貼り付けることが出来る装置には、例えば、画面上に表示された画像をトリミングする範囲を指定する枠の外枠が印刷紙面の外枠に対応し、内枠の内部が実際に画像が印刷される領域に対応し、かつ外枠と内枠との間のマスク部が印刷紙面の余白に対応する、トリミング領域指定方法がある（特許文献１）、（特許文献２）
【特許文献１】特開２００４−０１７６４７号公報
【特許文献２】特開2003-280878号公報
【発明の開示】
【発明が解決しようとする課題】
【０００３】
しかしながら、上記従来技術は、画像をトリミングする際の範囲指定枠の外枠を印刷紙面に対応させ、内枠を印刷領域に対応させてトリミング領域を表示するが、画像がページ上のどの位置に貼り付けられるかによって、範囲指定枠を切り替えることは出来なかった。従って、画像がページ全体に貼り付けられる場合やページの端に貼り付けられるため画像の一部が印字不可領域にかかったり裁断領域に掛かる場合に、印刷される領域を適切に表示することが出来なかった。
【課題を解決するための手段】
【０００４】
上記目的を達成するために、請求項１記載の発明によれば、画像をトリミングしてページに貼り付けてアルバムを作成するアルバム作成装置において、ページに貼り付ける画像を選択する画像選択手段と、前記選択した画像の貼り付け方法を指定する貼り付け方法指定手段と、前記選択した画像を表示装置の画面上に表示する画像表示手段と、前記画像のトリミング範囲を示す枠を前記画像表示手段によって表示された画像上に表示するトリミング範囲枠表示手段と、前記トリミング範囲を示す枠を前記画像の貼り付け方法に応じて切り替える手段、とを備えたことを特徴とするアルバム作成装置が提供される。
【０００５】
また、請求項２記載の発明によれば、前記貼り付け方法指定手段によって指定された画像の貼り付け方法が、ページ内への貼り付けの場合に、前記トリミング範囲枠は十分に細い線から成る矩形であることを特徴とするアルバム作成装置が提供される。
【０００６】
また、請求項３記載の発明によれば、前記貼り付け方法指定手段によって指定された画像の貼り付け方法が、ページ全体への貼り付けの場合に、印刷後の用紙の裁断領域を取得する裁断領域取得手段と、十分に太い線からなる矩形であって、矩形の外側の枠が裁断前の用紙の外接矩形を示し、矩形の内側の枠が裁断後の用紙の外接矩形を示すトリミング範囲枠表示手段、とを備えることを特徴とするアルバム作成装置が提供される。
【０００７】
また、請求項４記載の発明によれば、前記貼り付け方法指定手段によって指定された画像の貼り付け方法が、ページの端への貼り付けの場合に、印刷後の用紙の裁断領域を取得する裁断領域取得手段と、十分に太い線と十分に細い線とからなる矩形であって、画像が裁断領域に重なる辺では、矩形の外側の枠が裁断前の用紙の外接矩形に対応し、矩形の内側の枠が裁断後の用紙の外接矩形に対応し、画像が裁断領域に重ならない辺では十分に細い線で表示するトリミング範囲枠表示手段、とを備えることを特徴とするアルバム作成装置が提供される。
【０００８】
また、請求項５記載の発明によれば、画像をトリミングしてページに貼り付けてアルバムを作成するアルバム作成方法において、ページに貼り付ける画像を選択する画像選択ステップと、前記選択した画像の貼り付け方法を指定する貼り付け方法指定ステップと、前記選択した画像を表示装置の画面上に表示する画像表示ステップと、前記画像のトリミング範囲を示す枠を前記画像表示手段によって表示された画像上に表示するトリミング範囲枠表示ステップと、前記トリミング範囲を示す枠を前記画像の貼り付け方法に応じて切り替えるステップ、とを備えたことを特徴とするアルバム作成方法が提供される。
【０００９】
また、請求項６記載の発明によれば、前記貼り付け方法指定ステップによって指定された画像の貼り付け方法が、ページ内への貼り付けの場合に、前記トリミング範囲枠は十分に細い線から成る矩形であることを特徴とする請求項５に記載のアルバム作成方法が提供される。
【００１０】
また、請求項７記載の発明によれば、前記貼り付け方法指定ステップによって指定された画像の貼り付け方法が、ページ全体への貼り付けの場合に、印刷後の用紙の裁断領域を取得する裁断領域取得ステップと、十分に太い線からなる矩形であって、矩形の外側の枠が裁断前の用紙の外接矩形を示し、矩形の内側の枠が裁断後の用紙の外接矩形を示すトリミング範囲枠表示ステップ、とを備えることを特徴とするアルバム作成方法が提供される。
【００１１】
また、請求項８記載の発明によれば、前記貼り付け方法指定ステップによって指定された画像の貼り付け方法が、ページの端への貼り付けの場合に、印刷後の用紙の裁断領域を取得する裁断領域取得ステップと、十分に太い線と十分に細い線とからなる矩形であって、画像が裁断領域に重なる辺では、矩形の外側の枠が裁断前の用紙の外接矩形に対応し、矩形の内側の枠が裁断後の用紙の外接矩形に対応し、画像が裁断領域に重ならない辺では十分に細い線で表示するトリミング範囲枠表示ステップ、とを備えることを特徴とするアルバム作成方法が提供される。
【００１２】
さらに、アルバム作成方法をコンピュータに実行させるためのプログラムが提供される。
【発明の効果】
【００１３】
本発明によれば、画像をトリミングしてページに貼り付けてアルバムを作成するアルバム作成装置において、画像のトリミング領域を範囲指定するための枠を画像の貼り付け位置に応じて切り替えることが出来る、これにより、例えば印刷不可領域や裁断領域などを実際には印刷されないか又は失われる領域を認識しながらトリミング領域を指定することが出来る。
【発明を実施するための最良の形態】
【００１４】
次に、本発明の詳細を実施例の記述に従って説明する。
【００１５】
以下、添付図面を参照しながら本発明の好適な実施の形態を説明する。
【実施例１】
【００１６】
図１は本発明の好適な実施の形態に係るアルバム作成装置のシステム構成図である。
【００１７】
図１において、１０１は画像入力装置であり、イメージ情報である光学像を電気信号に変換し、所定の画像処理をした後にデジタル情報として記録・再生する画像入力装置である。例えば、画像入力装置１０１は、デジタルスチルカメラやデジタルビデオカメラ、スキャナである。
【００１８】
１０２は、ユーザが操作するクライアント装置であり、本発明のアルバム作成装置の1実施形態であるアルバム編集装置１０８とＷｅｂブラウザ１０９が動作する。
【００１９】
１０３は、プリントサイトであって、クライアント装置１０２とは、ネットワーク１０６を介して接続される。ユーザがクライアント装置１０２上のアルバム編集装置１０８を使用して作成したアルバムデータは、Ｗｅｂブラウザ１０９を使用してネットワーク１０６を介してプリントサイト１０３に転送される。
【００２０】
１０４は、出力装置であって、プリントサイト１０３に送られたアルバムデータを実際に印刷し、アルバム１１１を作成するものである。
【００２１】
１０５は、フォトサイトであって、画像ＤＢ１１０中に各種Ｗｅｂページ情報、画像、音声などのマルチメディア情報を保存・管理する。
【００２２】
１０６は、インターネットなどのネットワークであり、クライアント装置１０２、プリントサイト１０３及びフォトサイト１０５のそれぞれを接続して、各種データの送受信を行う。
【００２３】
１０７は、データ転送用インターフェースであって、画像入力装置１０１で取得された画像データをクライアント装置１０２へ転送するためのインターフェースである。例えば、データ転送用インターフェース１０７はＵＳＢ（Ｕｎｉｖｅｒｓａｌ  Ｓｅｒｉａｌ  Ｂｕｓ）やＩＥＥＥ１３９４に代表される有線インターフェースあるいは、ＩｒＤＡに代表される無線系インターフェースである。画像入力装置１０１からデータ転送用インターフェース１０７を介してクライアント装置１０２へ転送された画像データは、クライアント装置１０２のハードディスクドライブ（ＨＤＤ）に記憶される。尚、この画像入力装置１０１からクライアント装置１０２への画像データ転送に関しては、クライアント装置１０２にインストールされているオペレーションシステム（ＯＳ）又は専用のソフトウエアからの命令にしたがって、画像入力装置１０１が記憶装置に格納している画像データを一括転送する場合と、画像入力装置１０１からクライアント装置１０２に送られる転送コマンドにしたがって、クライアント装置１０２のＯＳ又は専用ソフトウエアが、ユーザＰＣ１０２のＨＤＤにデータ記録領域を確保し、画像入力装置１０１から画像データを受信する場合とがある。
【００２４】
１０８は、クライアント装置１０２上で動作するアルバム編集装置であって、本発明におけるアルバム作成装置の1実施形態である。アルバム編集装置１０８は、１つ以上の画像データを配置可能なアルバムページを１ページ以上含む電子アルバムを編集することができる。
【００２５】
１０９は、クライアント装置１０２上で動作するＷｅｂブラウザであり、ユーザはＷｅｂブラウザ１０９を使用して、ネットワーク１０６経由でフォトサイト１０５にアクセスし、アルバム装置１０８を使用して電子アルバムを作成する際に使用するテンプレートデータや画像データをダウンロードすることが出来る。
【００２６】
１１０は、フォトサイト１０５上の画像ＤＢであり、Ｗｅｂブラウザ１０９にてダウンロードされる電子アルバムのテンプレートデータや画像データが格納されている。
【００２７】
１１１は、出力装置１０４で作成された、アルバムであり、本装置の最終成果物となる。
【００２８】
電子アルバムに含まれる画像データは、画像入力装置１０１から取得され、データ転送用インターフェース１０７を介してクライアント装置１０２に転送され、クライアント装置１０２上のＨＤＤに記憶された画像データと、フォトサイト１０５からネットワーク１０６を介してダウンロードされた画像データとがある。
【００２９】
また、クライアント装置１０２は、編集された電子アルバムのプリント注文をフォトサイト１０５経由でプリントサイト１０３に依頼することが可能である。プリントサイト１０３は出力装置１０４を使って電子アルバムデータに対する印刷処理を実行してアルバム１１１を出力する。尚、図１ではプリントサイト１０３を１つだけ図示したが、２つ以上存在してもよい。
【００３０】
図２は本発明の好適な実施の形態に係るアルバム作成装置の概略構成を示すブロック図である。
【００３１】
図２において、２０１は表示装置であり、その表示画面には、例えば編集中の文書、図形、画像その他の編集情報、ウインドウ、アイコン、メッセージ、メニューその他のユーザーインターフェース情報が表示される。２０２はＶＲＡＭであり、表示装置２０１に表示するための画像が描画される。このＶＲＡＭ２０２に生成された画像データは、所定の規定に従って表示装置２０１に転送され、これにより表示装置２０１に画像が表示される。２０３はＣＤ又はＤＶＤに代表される外部記憶装置ドライブであり各種制御プログラムやデータを本装置と外部記憶装置間で授受する際の制御を担う。２０４はキーボードであり、文字入力や種々の操作を行うための各種キーを有する。２０５はポインティングデバイスであり、例えば、表示部２０１の表示画面上に表示されたアイコン、メニューその他のオブジェクトを指示するために使用される。２０６はＣＰＵであり、ＲＯＭ２０７、記憶装置２０９、フレキシブルディスク２１０及び外部記憶装置２０３に格納された制御プログラムに基づいてＣＰＵ２０６に接続された各デバイスを制御する。２０７はＲＯＭであり、各種の制御プログラムやデータを保持する。２０８はＲＡＭでありＣＰＵ２０６のワーク領域、エラー処理時のデータの退避領域、制御プログラムのロード領域等を有する。２０９は記憶装置であり、各種制御プログラムや各種データを格納する。２１１はネットワーク・インターフェースであり、他の情報処理装置やプリンタ等とネットワーク２１３を介して通信を行うことができる。２１２はＣＰＵバスであり、アドレスバス、データバス及びコントロールバスを含む。ＣＰＵ２０６に対する制御プログラムの提供は、ＲＯＭ２０７、記憶装置、フレキシブルディスク、外部記憶装置から行うこともできるし、ネットワーク２１３を介して他の情報処理装置等から行うこともできる。
【００３２】
図３は本発明の好適な実施の形態に係るアルバム作成装置の概略構成を示すブロック図である。
【００３３】
図３において、３０１はアルバム編集装置であり、クライアント装置上で動作し、電子アルバムを作成・編集するためにユーザが使用する。
【００３４】
３０２は、入力部であり、ページに貼り付ける画像を選択する画像選択装置３０５、画像の貼り付け方法を指定する貼り付け方法指定装置３０６とから成る。
【００３５】
３０３は、処理部であり、用紙の裁断領域を取得する裁断領域取得装置３０７から成る。
【００３６】
３０４は、表示部であり、ページに貼り付ける画像を表示する画像表示装置３０８、画像上にトリミング範囲枠を表示するトリミング範囲枠表示装置３０９、画像の貼り付け方法指定装置の指定に応じてトリミング範囲枠の表示を切り替えるトリミング範囲枠切り替え装置３１０とから成る。
【００３７】
図４〜図６で本実施例に係るアルバム作成装置の動作を説明する。
【００３８】
図４は本発明の好適な実施の形態に係るアルバム作成装置の画像とトリミング範囲枠及び用紙の関係を示した図であり、画像の貼り付け方法が「ページ全体への貼り付け」の場合を示している。
【００３９】
図４において、４０１はページに貼り付けられる画像であり、４０２はトリミング範囲枠である。この場合のトリミング範囲枠は裁断領域の幅分の線幅を持っており外枠４０４が裁断前の用紙の外接矩形に対応し、内枠４０３が裁断後の用紙の外接矩形を示している。４０５が実際に裁断後の用紙上に残る画像領域である。
【００４０】
４０６は画像がプリントされる用紙を示しており、４０７は裁断領域、４０８は裁断後に残される用紙の領域を示している。
【００４１】
トリミング範囲枠４０４と用紙の裁断領域４０７の位置関係は頭上の矢印で示されている。
【００４２】
図５は本発明の好適な実施の形態に係るアルバム作成装置の画像とトリミング範囲枠及び用紙の関係を示した図であり、画像の貼り付け方法が「ページの端への貼り付け」の場合を示している。
【００４３】
図５において、５０１はページに貼り付けられる画像であり、５０２はトリミング範囲枠である。この場合のトリミング範囲枠は裁断領域の幅分の線幅を持っている辺と十分に細い線幅の辺とから構成されている。図５の例では画像の貼り付け位置が用紙の右下のため、５０２と５０３の辺は十分に細い線幅の辺となり、５０４と５０５は裁断領域の幅分の線幅を持つ辺となる。５０６が実際に裁断後の用紙上に残る画像領域である。
【００４４】
５０７は画像がプリントされる用紙を示しており、５０８は裁断領域、５０９は裁断後に残される用紙の領域を示している。また、５１０は画像の右側の裁断領域と重なる部分を示しており、５１１は画像の下側の裁断領域と重なる部分を示している。５１２は裁断後に用紙上に残る画像の領域を示しており、５０６に対応する。
【００４５】
トリミング範囲枠５０２と用紙の裁断領域５０８の位置関係は図上の矢印で示されている。
【００４６】
図６は本発明の好適な実施の形態に係るアルバム作成装置の画像とトリミング範囲枠及び用紙の関係を示した図であり、画像の貼り付け方法が「ページ内への貼り付け」の場合を示している。
【００４７】
図６において、６０１はページに貼り付けられる画像であり、６０２はトリミング範囲枠である。この場合のトリミング範囲枠は十分に細い線幅で構成されており画像が裁断領域と重ならないことを示している。６０３が実際に裁断後の用紙上に残る画像領域である。（ページ内への貼り付けの場合は、用紙の裁断によって画像が欠けることはない）
６０４は画像がプリントされる用紙を示しており、６０５は裁断領域、６０６は裁断後に残される用紙の領域を示している。また、６０７は用紙上の画像の貼り付け位置を示している。
【００４８】
トリミング範囲枠６０２と用紙上の画像貼り付け位置６０７の位置関係は図上の矢印で示されている。
【００４９】
次に本発明の処理手順をフローチャート図７を参照しながら説明する。
【００５０】
図７は、本実施例のアルバム作成装置における画像のトリミング範囲指定処理のフローチャートである。
【００５１】
まず、ステップＳ７０１にて、ページに貼り付ける画像を選択する。次に、ステップＳ７０２にて、画像の貼り付け方法を指定する。次に、ステップＳ７０３にて、印刷する用紙の裁断領域を取得する。続いて、ステップＳ７０４にて、指定された画像の貼り付け方法が「ページ内貼り付け」かどうかを判定する。「ページ内貼り付け」の場合はステップＳ７０５にて、十分に細い線幅のトリミング範囲枠を表示して、ステップＳ７１０に進む。「ページ内貼り付け」でない場合はステップＳ７０６にて、指定された画像の貼り付け方法が「ページ全体貼り付け」かどうかを判定する。「ページ全体貼り付け」の場合はステップＳ７０７にて、線幅が裁断領域の幅のトリミング範囲枠を表示して、ステップＳ７１０に進む。「ページ全体貼り付け」でない場合は、「ページ端貼り付け」とみなし、ステップＳ７０８にて、画像の貼り付け位置に応じて、トリミング範囲枠を計算する。すなわち、画像の貼り付け位置が図５に示すように用紙の右下の場合は、トリミング範囲枠の上と左の辺は十分に細い線幅とし、トリミング範囲枠の右と下の辺は裁断領域の幅分の線幅となる、トリミング範囲枠を求める。次にステップＳ７０９にて、ステップＳ７０８で求めたトリミング範囲枠を表示する。続いて、ステップＳ７１０にて、画像上に表示されたトリミング範囲枠の位置を調整して処理を終了する。
【００５２】
本実施例では、画像の貼り付け方法を３通り示したが、その他の場合でも用紙の裁断領域をトリミング範囲枠に反映させうることは言うまでもない。
【００５３】
また、本発明を適用する計算機は、パーソナルコンピュータ、携帯電話を含む携帯端末、画像形成装置など、その形態を問わないのは言うまでもない。
【００５４】
また、本発明の目的は前述した実施形態の機能を実現するソフトウエアのプログラムコードを記録した記録媒体を、システムあるいは装置に供給し、そのシステムあるいは装置のコンピュータ（またはＣＰＵまたはＭＰＵ）が記録媒体に格納されたプログラムコードを読み出し実行することによっても、達成されることは言うまでもない。この場合、記憶媒体から読み出されたプログラムコード自体が前述した実施形態の機能を実現することとなり、そのプログラムコードを記憶した記憶媒体は本発明を構成することになる。
【００５５】
プログラムコードを供給するための記憶媒体としては、例えば、フレキシブルディスク、ハードディスク、光ディスク、光磁気ディスク、ＣＤ−ＲＯＭ、ＣＤ−Ｒ、磁気テープ、不揮発性のメモリカード、ＲＯＭ、ＤＶＤなどを用いることができる。
【００５６】
また、コンピュータが読み出したプログラムコードを実行することにより、前述した実施例の機能が実現されるだけでなく、そのプログラムコードの指示に基づき、コンピュータ上で稼動しているＯＳ（オペレーションシステム）などが実際の処理の一部または全部を行い、その処理によって前述した実施例の機能が実現される場合も含まれることは言うまでもない。
【００５７】
さらに、記憶媒体から読み出されたプログラムコードが、コンピュータに挿入された機能拡張ボードやコンピュータに接続された機能拡張ユニットに備わるメモリに書きこまれた後、そのプログラムコードの指示に基づき、その機能拡張ボードや機能拡張ユニットに備わるＣＰＵなどが実際の処理の一部または全部を行い、その処理によって前述した実施形態の機能が実現される場合も含まれることは言うまでもない。
【図面の簡単な説明】
【００５８】
【図１】本発明の一実施例によるアルバム作成装置のシステム構成図。
【図２】本発明の一実施例によるアルバム作成装置のブロック図。
【図３】本発明の一実施例によるアルバム作成装置のブロック図。
【図４】本発明の一実施例によるアルバム作成装置の動作説明図。
【図５】本発明の一実施例によるアルバム作成装置の動作説明図。
【図６】本発明の一実施例によるアルバム作成装置の動作説明図。
【図７】本発明の一実施例によるアルバム作成装置のフローチャート。
【符号の説明】
【００５９】
１０１  入力装置
１０２  クライアント装置
１０３  プリントサイト
１０４  出力装置
１０５  フォトサイト
１０６  ネットワーク
１０７  データ転送用インターフェース
１０８  アルバム編集装置
１０９  Ｗｅｂブラウザ
１１０  画像ＤＢ
１１１  アルバム
２０１  表示装置
２０２  ＶＲＡＭ
２０３  ＣＤＤ
２０４  キーボード
２０５  ポインティングデバイス
２０６  ＣＰＵ
２０７  ＲＯＭ
２０８  ＲＡＭ
２０９  ＨＤＤ
２１０  ＦＤＤ
２１１  ネットワーク・インターフェース
２１２  ＣＰＵバス
２１３  ネットワーク
３０１  アルバム作成装置
３０２  入力部
３０３  処理部
３０４  表示部
３０５  画像選択装置
３０６  貼り付け方法指定装置
３０７  裁断領域取得装置
３０８  画像表示装置
３０９  トリミング範囲枠表示装置
３１０  トリミング範囲枠切り替え装置
【図１】
2007281587.tif 000003
【図２】
2007281587.tif 000004
【図３】
2007281587.tif 000005
【図４】
2007281587.tif 000006
【図５】
2007281587.tif 000007
【図６】
2007281587.tif 000008
【図７】
2007281587.tif 000009